(57)【要約】【課題】  シーソーとして遊ぶことができる乗用玩具を提供することを目的とする。【解決手段】  車体２の底面40に、椀型のシーソー支持用部材１を下方への突出寸法調整可能に取り付けた。かつ、シーソー支持用部材１を車体２の上方から操作可能な操作部材３を具備する。さらに、シーソー支持用部材１は螺進退可能に車体２の底面40に取り付けられ、かつ、シーソー支持用部材１の突出寸法を調整する操作部材３を有する。そして、左右一対の足載せアーム４，４を水平面内で車体２の内方外方に揺動して突出収納自在に備えた。【選択図】  図１
2005349109.tif 000002
【特許請求の範囲】
【請求項１】
車体（２）の底面（40）に、椀型のシーソー支持用部材（１）を下方への突出寸法調整可能に取り付けたことを特徴とする乗用玩具。
【請求項２】
椀型のシーソー支持用部材（１）が、地面（Ｇ）上を転動自在な走行球体（36）を下方へ部分的に突出状に有している請求項１記載の乗用玩具。
【請求項３】
上記シーソー支持用部材（１）を上記車体（２）の上方から操作可能な操作部材（３）を具備する請求項１又は２記載の乗用玩具。
【請求項４】
上記シーソー支持用部材（１）は螺進退可能に車体（２）の底面（40）に取り付けられ、かつ、該シーソー支持用部材（１）の突出寸法を調整する上記操作部材（３）を有する請求項３記載の乗用玩具。
【請求項５】
左右一対の足載せアーム（４)(４）を水平面内で車体（２）の外方内方に揺動して突出収納自在に備えた請求項１，２，３又は４記載の乗用玩具。
【請求項６】
上記足載せアーム（４）に下方へ突出切換自在となるように突出部材（５）を取り付けた請求項５記載の乗用玩具。
【請求項７】
左右一対の足載せアーム（４)(４）を水平面内で車体（２）の外方内方に揺動して突出収納自在に備え、該足載せアーム（４）に下方へ突出切換自在となるように突出部材（５）を取り付けたことを特徴とする乗用玩具。
【発明の詳細な説明】
【技術分野】
【０００１】
本発明は、乗用玩具に関する。
【背景技術】
【０００２】
従来、幼児が乗って遊ぶ乗用玩具があり、その乗用玩具に乗った幼児が自ら両足で地面を蹴って走行させたり、幼児が車体の後方から押したりして遊ぶものがあった（例えば、特許文献１参照）。
【特許文献１】特開２００２−３５４３５号公報
【発明の開示】
【発明が解決しようとする課題】
【０００３】
しかし、従来の乗用玩具は、走行させて遊ぶことしかできず、それを用いて他の遊び方をすることは困難であった。そのため、他の遊びをするには、別の玩具が必要であった。  そこで、本発明は、シーソーとして遊ぶことができる乗用玩具を提供することを目的とする。
【課題を解決するための手段】
【０００４】
上記目的を達成するために、本発明に係る乗用玩具は、車体の底面に、椀型のシーソー支持用部材を下方への突出寸法調整可能に取り付けた。
また、椀型のシーソー支持用部材が、地面上を転動自在な走行球体を下方へ部分的に突出状に有している。
【０００５】
また、上記シーソー支持用部材を上記車体の上方から操作可能な操作部材を具備する。  また、上記シーソー支持用部材は螺進退可能に車体の底面に取り付けられ、かつ、該シーソー支持用部材の突出寸法を調整する上記操作部材を有する。
【０００６】
また、左右一対の足載せアームを水平面内で車体の外方内方に揺動して突出収納自在に備えた。
また、上記足載せアームに下方へ突出切換自在となるように突出部材を取り付けたものである。
また、左右一対の足載せアームを水平面内で車体の外方内方に揺動して突出収納自在に備え、該足載せアームに下方へ突出切換自在となるように突出部材を取り付けた。
【発明の効果】
【０００７】
本発明は、次のような著大な効果を奏する。
本発明に係る乗用玩具によれば、乗車した幼児がシーソーとして遊ぶ場合と、幼児が自ら足で地面を蹴って走行させたり又は押して遊ぶ場合に簡単に切り換えて使用することができる。さらに、シーソーとして使用しながら走行することもできる。
また、シーソーとして使用する場合の揺動の度合いを調整することができる。  また、地面に接触するシーソー支持用部材に直接手を触れなくても操作でき、清潔に使用することができる。
また、シーソーとして使用する場合に、安全に使用することができる。
【発明を実施するための最良の形態】
【０００８】
以下、実施の形態に示す図面に基づき本発明を詳説する
図１〜図10に示す第１の実施の形態に於て、車体２には、地面Ｇ上を転動する車輪６を４個備え、車輪６は、左右２個の前輪６ａと左右２個の後輪６ｂとから成っている。車体２の前方上部には、前輪６ａを制御するハンドル７を取り付け、車体２の上部のハンドル７より後方にはシート部材８が付設されている。シート部材８は、その前端部にて揺動して開閉自在に車体２に取り付けられ、車体２のシート部材８の下方には小物等を収納する直方体状の収納部９が形成されている。
【０００９】
図５に於て、車体２の底面40には、椀型のシーソー支持用部材１が下方へ突出して取り付けられ、シーソー支持用部材１の上方には、シーソー支持用部材１を操作し突出寸法を調整する操作部材３が設けられている。
シーソー支持用部材１は、ベース部材12を介して収納部９の下方の車体２の底面40に取り付けられている。シーソー支持用部材１は、球面部15と、その上端部に一体成形された雄ネジ部16と、から成り、雄ネジ部16は円筒状でその外面にネジ山が右ネジ状に成形されている。ベース部材12は、車体２の底面40の下面に固着された円形の板材17と、その板材の下面に一体成形された円筒状の雌ネジ部14と、から成り、雌ネジ部14は内面にネジ山が右ネジ状に成形されている。さらに、ベース部材12には、左右両側外方に突出した腕部材13，13が付設されている。そして、雄ネジ部16が雌ネジ部14に内嵌され、シーソー支持用部材１はベース部材12に鉛直方向に螺進退可能に取り付けられている。また、雄ネジ部16と雌ネジ部14のそれぞれのネジ山は、角ネジ状に成形されている。なお、腕部材13，13は車体２の外方には突出しないように設けられている。
【００１０】
シーソー支持用部材１の突出寸法が最小になる時（シーソー支持用部材１の上端部がベース部材12の板材17の下面に当接する状態にある時）は、シーソー支持用部材１の下端部は地面Ｇに接触しないように（地面Ｇより上方に配置されるように）設定されている。また、シーソー支持用部材１の突出寸法が最大になる時は、シーソー支持用部材１の下端部は車輪６の下端部より下方に配置されるように設定されている。
【００１１】
シーソー支持用部材１には、上方へ延びる操作部材３が付設され、操作部材３は杆部10と操作ノブ11とから成っている。杆部10は、球面部15の下端部の内面に垂直に立設されると共に、車体２の底面40とベース部材12の板材17を貫通し、杆部10の上端は収納部９内に配置されている。操作ノブ11は杆部10の上端部に取り付けられており、操作ノブ11の下面の中央部には取付孔34が形成され、杆部10の上端の結合部35が取付孔34に嵌め込まれ連結されている。取付孔34と結合部35は、横断面が四角状に成形されており、また、スプライン状、多角形状に成形されていてもよい。そして、球面部15と杆部10と操作ノブ11は一体状に構成されている。
【００１２】
図３に示すように、腕部材13，13には、左右一対の足載せアーム４，４が水平面内で車体２の外方内方に揺動して突出収納自在に取り付けられている。腕部材13の外側の端部には、垂直方向に設けられた円筒部18を有している（図５参照）。また、足載せアーム４は下方に開口する略直方体で、水平状に設けられている。底面視して、足載せアーム４の一端縁は円弧状に形成され、その一端上部には揺動軸部19が一体状かつ垂直方向に付設されている。さらに、揺動軸部19は腕部材13の円筒部18に内嵌されると共に、小径状に形成された揺動軸部19の上端部は円筒部18から上方に突出し、かつ、揺動軸部19の上端部には保持キャップ20が取り付けられ、足載せアーム４は腕部材13に取り付けられている（図５参照）。
【００１３】
揺動軸部19の下端部の足載せアーム４の他端側には、足載せアーム４が揺動して位置決めするためのストッパ突部21を設け、円筒部18の下端部の外側と後方側には、ストッパ突部21が揺動の妨げとならないようにしかつ当接するための切欠部22，22が形成されている（図４参照）。さらに、切欠部22には、足載せアーム４が外方に揺動して確実に位置決めするための突起部23が形成されている。
【００１４】
図２に於て、足載せアーム４には、下方に突出切換自在となるように突出部材５が取り付けられている。突出部材５は、略直方体であり、足載せアーム４内に収納されると共に、揺動自在に取り付けられている。突出部材５が足載せアーム４内で揺動し易くするために、突出部材５にはその長手方向に長孔25を貫通して形成している。そして、突出部材５は、その長孔25に挿入される軸部材24を介して、足載せアーム４の（揺動軸部19の付設されていない）他端の近傍に取り付けられている。
【００１５】
さらに、図６に示すように、突出部材５が足載せアーム４の下方に突出した状態では、突出部材５が車体２を安定して支持するために、突出部材５は、その接地面33側に向かって外側になるよう斜めに配置され、この状態で接地面33は水平状に設けられている。
また、突出部材５を突出させてもシーソーとして使用できるようにするために、シーソー支持用部材１の突出寸法を最大とした場合に於て、そのシーソー支持用部材１の下端部は、下方に突出した突出部材５の下端面より下方に配置されるようになっている。
【００１６】
図11に示す第２の実施の形態に於て、上記第１の実施の形態と同様に、シーソー支持用部材１と操作部材３とを備え、シーソー支持用部材１はベース部材12に取り付けられているが、ベース部材12には腕部材13，13が付設されていない。さらに、足載せアーム４，４も具備していない。シーソー支持用部材１の突出寸法が最小になる時（シーソー支持用部材１の上端部がベース部材12の板材17の下面に当接する状態にある時）は、シーソー支持用部材１の下端部は地面Ｇに接触しないように（地面Ｇより上方に配置されるように）設定されている。また、シーソー支持用部材１の突出寸法が最大になる時は、シーソー支持用部材１の下端部は車輪６の下端部より下方に配置されるように設定されている。なお、図11に於て、図５と同一の符号は図５と同様の構成であるので、説明を省略する。
【００１７】
図12に示す第３の実施の形態に於て、車体２の後方の上部には、押手部材27が着脱自在に取り付けられ、保護者等が押して走行させたり、幼児自身が押して走行させたり、また、幼児がシーソーとして遊ぶ場合に保護者等が押手部材27を持って支えることが可能となっている。押手部材27は、車体２に垂直に取り付けられる左右２本の支持杆30，30を有し、それぞれの上端部には持ち手部31が水平状に付設されている。さらに、支持杆30，30のそれぞれの中間部は、水平状に配置された補強部材29で連結されている。支持杆30，30は長手方向に伸縮自在となっており、持ち手部31の高さ調整可能である。
【００１８】
ハンドル７の上にはハンドルカバー28が取り付けられ、ハンドルカバー28の上面には、乗車した幼児が握って持つ倒立Ｕ字状の把持部32が付設されている。
乗車した幼児が転落するのを防止するために、前後方向に延びる２本の安全手すり26，26が備えられている。安全手すり26，26の前端部は、ハンドルカバー28の左右両端部に係止され、安全手すり26，26の後端部は、支持杆30，30に取り付けられている。なお、図12ではシーソー支持用部材１は車輪６より下方へ突出していないが、シーソー支持用部材１が車輪６より下方へ突出したシーソーとして使用する場合でも、幼児転落防止のために、安全手すり26を取り付けて使用可能である。なお、図12に於て、図１と同一の符号は図１と同様の構成であるので、説明を省略する。
【００１９】
図13に示す第４の実施の形態に於て、椀型のシーソー支持用部材１は、地面Ｇ上を転動自在な走行球体36を下方へ部分的に突出状に有している。シーソー支持用部材１の下端部には、球体収納凹部37が形成され、その球体収納凹部37内には走行球体36が嵌め込まれている。走行球体36と球体収納凹部37の間には、走行球体36をスムーズに転動させるための回転受部材38が介在し、走行球体36は球面状に形成された回転受部材38の下面に当接している。さらに、走行球体36が球体収納凹部37から下方へ落下するのを防ぐ抜止めリング39を、走行球体36の下方からシーソー支持用部材１の下部へ付設している。
また、球体収納凹部37内に回転受部材38を有さず、回転軸を水平状に付設し、その回転軸に走行球体36を回転可能に取り付けてもよい。この場合は、シーソー支持用部材１を回転して配置した位置によって、走行球体36の回転方向（走行方向）が変化するため、例えば、走行方向を示す目印を付けることが望ましい。なお、図13に於て、図５と同一の符号は図５と同様の構成であるので、説明を省略する。
【００２０】
また、本発明の乗用玩具は設計変更自由であり、操作部材３をシーソー支持用部材１の上方に設けず、シーソー支持用部材１の球面部15の表面に複数の凹部を形成し、その凹部に指を掛止してシーソー支持用部材１を回転させ螺進退させ操作するようにしてもよい。
【００２１】
また、シーソー支持用部材１と、ベース部材12を設けず、左右一対の足載せアーム４，４を水平面内で車体２の外方内方に揺動して突出収納自在に備え、該足載せアーム４に下方へ突出切換自在となるように突出部材５を取り付けてもよい。具体的には、左右一対の腕部材13が、前輪６ａと後輪６ｂの間の底面40の下面に付設され、足載せアーム４は腕部材13の外側端部に揺動自在に取り付けられている。なお、腕部材13，13は車体２の外方には突出しないように設けられている。
【００２２】
上述した本発明である乗用玩具の使用方法（作用）について説明する。
図１に於て、本発明の乗用玩具は、乗車した幼児が自ら地面Ｇを蹴って走行させて遊ぶ状態にあり、具体的には、シーソー支持用部材１は地面Ｇから離れ接触しておらず、足載せアーム４，４は車体２に収納され、突出部材５，５も足載せアーム４，４内に収納されている。
シーソーとして使用する場合は、シート部材８を揺動させて開け、収納部９内の操作ノブ11を平面視して右廻り（時計廻り）に回転させる。その操作ノブ11の回転と連動してシーソー支持用部材１も右廻りに回転し、シーソー支持用部材１は下方に突出する（シーソー支持用部材１の突出寸法が大きくなる）。そして、シーソー支持用部材１の下端部を車輪６の下端より下方へ所望の寸法だけ突出させて、シート部材８を閉じて図７に示すようになる。この場合、幼児はシート部材８に座って、（体を支えるために）ハンドル７を持って乗車し、両足は地面Ｇに付けて車体２を揺動させて遊ぶ。
【００２３】
上記図７に示す使用状態から、足載せアーム４，４を外方に揺動させて突出させる。この時、足載せアーム４のストッパ突部21が、円筒部18の外側の切欠部22に当接し、足載せアーム４，４は前後方向に直交して配置されている（図８参照）。この場合、乗車した幼児は、両足を足載せアーム４，４上に載せて車体２を揺動させて遊ぶ。
【００２４】
さらに、上記図８に示す使用状態に於て、幼児が足を足載せアーム４，４と地面Ｇとの間に挾む危険がある場合は、足載せアーム４から突出部材５を揺動させ下方に突出させる。具体的には、図６に示すように、突出部材５を、足載せアーム４の上記（揺動軸部19の付設されていない）他端の下端縁に接触するまで揺動させ、次に、突出部材５を足載せアーム４内へ押し込む。そして、突出部材５の接地面33と反対側の端部が、足載せアーム４の上部下面に当接して係止される。そして、シーソー支持用部材１の下端部を、突出部材５の接地面33より下方へ突出させ図９に示す状態になる。この場合、乗車した幼児は、両足を足載せアーム４，４上に載せて車体２を揺動させて遊ぶ。
【００２５】
図10に於て、足載せアーム４，４を外方に突出させ、突出部材５を下方に突出させて、さらに、操作ノブ11を平面視して左廻り（反時計廻り）に回転させ、シーソー支持用部材１も左廻りに回転し、シーソー支持用部材１を上方へ移動させる（シーソー支持用部材１の突出寸法が小さくなる）。そして、シーソー支持用部材１の下端部は、突出部材５の接地面33より上方に配置する。この場合、乗車した幼児は前後方向に車体２を揺動させて遊ぶ。なお、この揺動範囲を広げる（揺動の度合いを大きくする）ためには、シーソー支持用部材１の上端部をベース部材12の板材17の下面に当接する（シーソー支持用部材１の突出寸法を最小にする）状態にして使用することが望ましい。
【００２６】
以上のように、本発明である乗用玩具は、車体２の底面40に、椀型のシーソー支持用部材１を下方への突出寸法調整可能に取り付けたので、乗車した幼児がシーソーとして遊ぶ場合と、幼児が自ら足で地面Ｇを蹴って走行させたり又は押して遊ぶ場合と、に切り換えて使用することができる。さらに、シーソー支持用部材１の突出寸法を調整可能としたことで、幼児の遊び方に応じて、シーソーとして使用する場合の揺動の度合いを調整することができる。
【００２７】
また、椀型のシーソー支持用部材１が、地面Ｇ上を転動自在な走行球体36を下方へ部分的に突出状に有しているので、乗車した幼児がシーソーとして使用しながら幼児が自ら足で地面Ｇを蹴って走行することもできる。
【００２８】
また、シーソー支持用部材１を車体２の上方から操作可能な操作部材３を具備するので、乗車した幼児がシーソーとして遊ぶ場合と、幼児が自ら足で地面Ｇを蹴って走行させたり又は押して遊ぶ場合と、に簡単に切換えることができる。さらに、シーソーとして使用する場合の揺動の度合いを容易に調整することができる。
また、地面Ｇに接触するシーソー支持用部材１に直接手を触れなくても操作でき、清潔に使用することができる。
【００２９】
また、シーソー支持用部材１は螺進退可能に車体２の底面40に取り付けられ、かつ、シーソー支持用部材１の突出寸法を調整する操作部材３を有するので、乗車した幼児がシーソーとして遊ぶ場合と、幼児が自ら足で地面Ｇを蹴って走行させたり又は押して遊ぶ場合と、に簡単に切換えることができる。さらに、シーソーとして使用する場合の揺動の度合いを容易に調整することができる。
【００３０】
また、左右一対の足載せアーム４，４を水平面内で車体２の外方内方に揺動して突出収納自在に備えたので、シーソーとして使用する場合に、乗車した幼児が足載せアーム４，４に足を載せて遊ぶことができる。また、幼児を乗車させて保護者等が後方から押して走行させる場合に、幼児が足載せアーム４，４に足を載せることができるため、幼児の足が前輪や後輪に巻き込まれる危険がない。さらに、足載せアーム４，４を車体２に収納できるので、幼児が自ら足で地面Ｇを蹴って走行させて遊ぶ場合に、足載せアーム４，４が邪魔にならない。
【００３１】
また、足載せアーム４に下方へ突出切換自在となるように突出部材５を取り付けたので、シーソー支持用部材１を地面Ｇに接触させ、かつ、足載せアーム４，４を車体２から突出させたシーソーとして使用する場合に、幼児の足が足載せアーム４と地面Ｇとの間に挟まれる危険がなく安全に使用できる。さらに、シーソーとして使用する場合の揺動の方向や度合いを調整することができる。
また、シーソー支持用部材１を地面Ｇに接触させない状態にしても、突出部材５，５を突出させれば、前後方向に揺動するシーソーとして使用することができる。
【００３２】
また、左右一対の足載せアーム４，４を水平面内で車体２の外方内方に揺動して突出収納自在に備え、足載せアーム４に下方へ突出切換自在となるように突出部材５を取り付けたので、足載せアーム４を車体２の外方に突出させれば、幼児が足載せアーム４，４に足を載せることができる。このことにより、幼児を乗車させて保護者等が後方から押して走行させる場合に、幼児の足が前輪や後輪に巻き込まれる危険がない。さらに、突出部材５を下方に突出させれば、幼児は前後方向に揺動するシーソーとして遊ぶことができる。また、足載せアーム４，４を車体２に収納できるので、幼児が自ら足で地面Ｇを蹴って走行させて遊ぶ場合に、足載せアーム４，４が邪魔にならない。
【図面の簡単な説明】
【００３３】
【図１】本発明の第１の実施の形態を示す側面図である。
【図２】要部側面図である。
【図３】要部底面図である。
【図４】要部底面図である。
【図５】要部断面正面図である。
【図６】要部正面図である。
【図７】使用状態を示す側面図である。
【図８】使用状態を示す側面図である。
【図９】使用状態を示す側面図である。
【図１０】使用状態を示す側面図である。
【図１１】第２の実施の形態を示す要部断面正面図である。
【図１２】第３の実施の形態を示す側面図である。
【図１３】第４の実施の形態を示す要部断面正面図である。
【符号の説明】
【００３４】
１  シーソー支持用部材
２  車体
３  操作部材
４  足載せアーム
５  突出部材
36  走行球体                                                                    40  底面
Ｇ  地面
【図１】
2005349109.tif 000003
【図２】
2005349109.tif 000004
【図３】
2005349109.tif 000005
【図４】
2005349109.tif 000006
【図５】
2005349109.tif 000007
【図６】
2005349109.tif 000008
【図７】
2005349109.tif 000009
【図８】
2005349109.tif 000010
【図９】
2005349109.tif 000011
【図１０】
2005349109.tif 000012
【図１１】
2005349109.tif 000013
【図１２】
2005349109.tif 000014
【図１３】
2005349109.tif 000015